(57)【特許請求の範囲】
【請求項１】
資材を貯留するホッパと、前記ホッパの底部に開口された開口部を介して前記ホッパ内と連通すると共に、前記ホッパの軸を中心に回転自在に軸支された散布部とを備えている散布装置であって、前記ホッパは、前記底部から該底部と前記ホッパの軸方向で対向する投入口にわたるように配置された隔壁によって分割されてなる複数の貯留空間が備えられていると共に、複数の前記貯留空間の夫々に前記開口部が配置され、複数の前記開口部には、前記開口部を個別に開閉すると共に、前記開口部の開度を調節する開閉装置が備えられ、前記開閉装置は、前記開口部を開閉するシャッタと、前記シャッタを開閉操作する操作部とを備え、前記シャッタは、前記ホッパの軸と平行な軸を有する支軸に回転自在に軸支されており、前記支軸を中心として回転することによって、前記開口部を開閉すると共に、前記開口部の開度を調節するようにされ、前記支軸は、前記散布部の回転軸と開口部の間に軸支され、前記操作部は、前記ホッパから該ホッパの径方向外側に突出するように前記シャッタに連結されており、前記ホッパの外側から前記支軸の回転方向に沿う方向に動かす操作によって、前記シャッタを回転させるようにされていることを特徴とする散布装置。
【発明の詳細な説明】
【技術分野】
【０００１】
本発明は、粉状肥料、粒状肥料、種子、土壌改良剤、除草剤、融雪剤等の各種資材を散布する散布装置に関する。
【背景技術】
【０００２】
粉状肥料、粒状肥料、種子、土壌改良剤、除草剤、融雪剤等の各種資材を散布する散布装置は、下記特許文献１に記載のブロードキャスタが知られている。
【０００３】
このブロードキャスタは、ホッパ内の資材をホッパの軸を中心として正逆方向(一方向と他方向)に揺動するスパウトで散布するスパウト型と称されるものであり、ホッパ内の資材がホッパの底部に開口された開口部から略漏斗状の受部で資材を受け止め、スパウトへ供給されると共に、スパウトの吐出口から散布されるようになっている。
【先行技術文献】
【特許文献】
【０００４】
【特許文献１】特開２００２−１４２５２２号公報
【発明の概要】
【発明が解決しようとする課題】
【０００５】
ところで、資材の散布では、例えば、作物や土壌に応じて種類の異なる肥料や土壌改良剤を混合し、最適な配合比で混合した混合資材を散布する場合がある。
【０００６】
混合資材の配合比は、同一の圃場内においても作物の生育状態や土壌の性状に応じて異なるため、散布作業中に異なる配合比の混合資材の散布に切り替えることが望まれる。
【０００７】
しかしながら、ホッパに混合資材が残留している状態で、異なる配合比の混合資材の散布に切り替える場合には、残留する混合資材と新たな混合資材との入れ替え作業という負担が大きく、しかも、散布作業の効率性を低下させてしまう作業を要するという問題点を有しており、この問題点の解決が望まれていた。
【課題を解決するための手段】
【０００８】
本発明は、前述の課題を解決するため以下の手段を採用した。
【０００９】
資材を貯留するホッパと、前記ホッパの底部に開口された開口部を介して前記ホッパ内と連通すると共に、前記ホッパの軸を中心に回転自在に軸支された散布部とを備えている散布装置であって、前記ホッパは、前記底部から該底部と前記ホッパの軸方向で対向する投入口にわたるように配置された隔壁によって分割されてなる複数の貯留空間が備えられていると共に、複数の前記貯留空間の夫々に前記開口部が配置され、複数の前記開口部には、前記開口部を個別に開閉すると共に、前記開口部の開度を調節する開閉装置が備えられ、前記開閉装置は、前記開口部を開閉するシャッタと、前記シャッタを開閉操作する操作部とを備え、前記シャッタは、前記ホッパの軸と平行な軸を有する支軸に回転自在に軸支されており、前記支軸を中心として回転することによって、前記開口部を開閉すると共に、前記開口部の開度を調節するようにされ、前記支軸は、前記散布部の回転軸と開口部の間に軸支され、前記操作部は、前記ホッパから該ホッパの径方向外側に突出するように前記シャッタに連結されており、前記ホッパの外側から前記支軸の回転方向に沿う方向に動かす操作によって、前記シャッタを回転させるようにされていることを特徴とする散布装置としたことである。
【図面の簡単な説明】
【００１０】
【図１】本発明に係る実施形態の散布装置を示す斜視図である。
【図２】図１の（２）−（２）線断面図であり、（ａ）は、開口部の開度を調節した状態を示し、（ｂ）は、開口部を全開した状態を示し、（ｃ）は、開口部を全閉した状態を示す。
【発明を実施するための形態】
【００１１】
以下、本発明に係る実施形態の散布装置Ａを図１、図２に基づいて説明する。尚、以下で説明する各実施形態は、本発明を限定するものではない。
【００１２】
散布装置Ａは、スパウト型のものであり、基本的な構成として、ホッパ１と、ホッパ１の下方に、ホッパ１の軸を中心に、スパウト２Ｃが揺動自在に設けられた散布部２とを備えた周知の構成のものである。
【００１３】
散布装置Ａは、走行体（図示せず）に対して、フレーム（図示せず）を介して連結され、走行体からの駆動力によって、スパウト２Ｃを揺動させながら混合資材の散布を行うようになっている。
【００１４】
ホッパ１と散布部２とは、ホッパ１の底部１０に開口された開口部３Ａ、３Ｂを介して連通されており、ホッパ１内の資材が開口部３Ａ、３Ｂを通過して散布部２に移動するようにされている。
【００１５】
スパウト２Ｃを揺動させる駆動力は、前述の走行体からの駆動力を利用することが有効であり、例えば、必要な動力伝達系２Ａを介して、走行体のＰＴＯ（Power Take Off）軸に接続するか、或いは、走行体のバッテリによって駆動する駆動モータ（図示せず）に接続する等の手段を採用することができる。
【００１６】
散布部２の構成は、ホッパ１と同軸で回転自在に設けられたサブホッパ２Ｂと、サブホッパ２Ｂの周壁に、サブホッパ２Ｂ内と連通するように、径方向外側へ突設されたスパウト２Ｃと、サブホッパ２Ｂからホッパ１内に、サブホッパ２Ｂと同軸で回転自在に貫通支持されていると共に、サブホッパ２Ｂと同一体に設けられたアジテータ２Ｄを備えている。
【００１７】
アジテータ２Ｄは、動力伝達系２Ａに接続されており、前述のＰＴＯ軸の駆動力が動力伝達系２Ａを介して伝達されて正逆回転（揺動）し、このアジテータ２Ｄと一体のサブホッパ２Ｂの正逆回転（揺動）によって、スパウト２Ｃの揺動が行われるようになっている。
【００１８】
ホッパ１は、ホッパ１の径方向中心線上に、ホッパ１内の底部１０から上部投入口１１にわたって隔壁１２が配置されており、この隔壁１２を境にホッパ１内を径方向に２分割してなる独立した２か所の貯留空間１Ａ、１Ｂが設けられている。
【００１９】
尚、貯留空間１Ａ、１Ｂの体積は、双方ともに同じ体積であることが好ましいが、本発明では、貯留空間１Ａ、１Ｂの体積を同じとすることを限定するものではない。
【００２０】
隔壁１２の下端中央部には、ホッパ１内に突出するアジテータ２Ｄの回転軸２０Ｄを避けるための凹部１２Ａが形成されており、この凹部１２Ａ内に回転軸２０Ｄが入り込むようにされている。
【００２１】
尚、本形態では、回転軸２０Ｄをホッパ１の中央から突出させて、一つのアジテータ２Ｄで貯留空間１Ａ、１Ｂ内を共通して撹拌するようにしているが、本発明では、例示した形態に限るものではなく、貯留空間１Ａ、１Ｂに対して夫々独立してアジテータ２Ｄを設けた形態としてもよい。
【００２２】
このような形態である場合、回転軸２０Ｄをホッパ１の中央から突出させないようにできるので、凹部１２Ａが無い隔壁１２でホッパ１を分割することができる。
【００２３】
隔壁１２は、ホッパ１に対してビス止め等の固定手段（図示せず）によって、着脱自在に固定されており、隔壁１２を状況に応じてホッパ１に対して着脱することができるようになっている。
【００２４】
尚、隔壁１２は、例示したように、ホッパ１内を２分割して２か所の貯留空間１Ａ、１Ｂを確保する形態に限らず、ホッパ１内を３分割以上として、ホッパ１の周方向に沿って隣り合う貯留空間を３か所以上確保できる形態としてもよい（図示せず）。
【００２５】
貯留空間１Ａ、１Ｂの夫々の底部１０には、散布部２と連通する開口部３Ａ、３Ｂが開口されており、貯留空間１Ａ、１Ｂの夫々に貯留された資材が開口部３Ａ、３Ｂを通過して散布部２に移動するようにされている。
【００２６】
開口部３Ａ、３Ｂには、夫々、開口部３Ａ、３Ｂを開閉すると共に、開度を大小調節する開閉装置４Ａ、４Ｂが備えられている。
【００２７】
開閉装置４Ａは、開口部３Ａを開閉すると共に、開口部３Ａの開度を調節し、開閉装置４Ｂは、開口部３Ｂを開閉すると共に、開口部３Ｂの開度を調節するものであり、夫々個別に操作できるようにされている。
【００２８】
開閉装置４Ａ、４Ｂは、開口部３Ａ、３Ｂを開閉するシャッタ４０Ａ、４０Ｂと、シャッタ４０Ａ、４０Ｂを開閉操作する操作部４１Ａ、４１Ｂとを備えている。
【００２９】
シャッタ４０Ａ、４０Ｂは、底部１０のサブホッパ２Ｂ側に、回転軸２０Ｄの軸と平行な軸を有する支軸４２Ａ、４２Ｂに回転自在に軸支されており、時計方向と反時計方向とに回転することによって、開口部３Ａ、３Ｂを開閉すると共に、開度を調節するようにされている。
【００３０】
支軸４２Ａ、４２Ｂは、回転軸２０Ｄと開口部３Ａ、３Ｂとの間に配置されており、操作部４１Ａ、４１Ｂは、シャッタ４０Ａ、４０Ｂの支軸４２Ａ、４２Ｂとは反対側の縁に接続されている。
【００３１】
操作部４１Ａ、４１Ｂは、サブホッパ２Ｂの周壁に周方向に沿って開口された長孔２０Ｂを介してシャッタ４０Ａ、４０Ｂに連結されており、手動によって、操作部４１Ａ、４１Ｂを長孔２０Ｂに沿ってスライド操作することによって、シャッタ４０Ａ、４０Ｂを回転させて、開口部３Ａ、３Ｂの開閉及び開度の調節を行うようにされている。
【００３２】
尚、開閉装置４Ａ、４Ｂは、例示したように手動操作によって、開口部３Ａ、３Ｂの開閉及び開度の調節を行う形態に限らず、駆動モータやシリンダ等の駆動部（図示せず）の駆動力で開口部３Ａ、３Ｂの開閉及び開度の調節を行う形態としてもよい。
【００３３】
また、操作部４１Ａ、４１Ｂの操作範囲に、資材の種類別及び目的の配合比に対応する開口部３Ａ、３Ｂの適切な開度を示す目盛り（図示せず）を設けて、開口部３Ａ、３Ｂの開度調節時に、操作部４１Ａ、４１Ｂを目的の配合比となる目盛り位置に止めることで、開口部３Ａ、３Ｂの開度を、目的の配合比で資材を供給できる開度にする形態としてもよい。
【００３４】
駆動部の駆動力で開口部３Ａ、３Ｂの開閉及び開度の調節を行う場合、前述の走行体の運転席に、駆動部を駆動させるための操作をする共に、開口部３Ａ、３Ｂの開閉状態及び開度を表示するコントーローラ（図示せず）を設け、このコントローラからのリモートコントロールによって行うようにするとよい。
【００３５】
また、前述のコントローラに、資材の種類別及び目的の配合比に対応する開口部３Ａ、３Ｂの適切な開度を記憶した記憶部と、資材の種類及び配合比を入力する入力部と、入力された資材の種類データ及び配合比データに基づいて、記憶部に記憶された開度を取り出して、開口部３Ａ、３Ｂを目的の開度となるように駆動部を駆動させるように制御する制御部とを備えた形態としてもよい（図示せず）。
【００３６】
このような散布装置Ａによると、貯留空間１Ａ、１Ｂに、夫々、種類の異なる資材（例えば、肥料）を貯留し、これらの資材が目的の配合比の混合資材として散布できるように、開閉装置４Ａ、４Ｂを操作して開口部３Ａ、３Ｂの開度を調節することができる。
【００３７】
例えば、貯留空間１Ａに窒素（N）、貯留空間１Ｂにリン酸（P）とカリウム（K）の混合材料を入れ、同一圃場内で窒素（N）が足りない場所では、開口部３Ａの開度を大きくして窒素（N）量を増やし、過多な場所では、開口部３Ａの開度を小さくして窒素（N）量を減らす等の微調整ができる。
【００３８】
この場合、圃場の生育マップやリアルタイムに生育を判断するセンサのデータに基づいて開口部３Ａの開度を調整することができる。
【００３９】
また、生育を判断するセンサの生育データを用いる場合、リアルタイムで得られた生育データを、前述の制御部による開口部３Ａ、３Ｂの自動開度調整に反映させる制御もできる。
【００４０】
開口部３Ａ、３Ｂの開度の設定後には、貯留空間１Ａ、１Ｂからサブホッパ２Ｂに目的の配合比となる量で資材を夫々供給できる。
【００４１】
サブホッパ２Ｂに供給された資材は、サブホッパ２Ｂの揺動によって混合されて、目的の配合比の混合資材となると共に、この混合資材をサブホッパ２Ｂと一体で揺動するスパウト２Ｃから散布できる。
【００４２】
すなわち、散布装置Ａは、貯留空間１Ａ、１Ｂに、夫々種類の異なる資材を貯留し、開口部３Ａ、３Ｂの開度を調節することで、サブホッパ２Ｂに供給される資材の量を目的の配合比の混合資材にできる量にすることができる。
【００４３】
したがって、散布作業中に他の作物や土壌へ、異なる配合比の混合資材を散布する状況になったときでも、開口部３Ａ、３Ｂの開度を調節することで、配合比を変更することができるので、散布作業の効率性を高めることができる。
【００４４】
また、開口部３Ａ、３Ｂの一方側を閉じることによって、単独の資材を散布することができる。
【００４５】
尚、前述の実施形態では、スパウト型の散布装置Ａを例示したが、本発明では、スピナー型の散布装置としてもよい。
【符号の説明】
【００４６】
Ａ：散布装置
１：ホッパ
２：散布部
１０：底部
１１：投入口
１２：隔壁
１Ａ：貯留空間
１Ｂ：貯留空間
３Ａ：開口部
３Ｂ：開口部
４Ａ：開閉装置
４Ｂ：開閉装置
【図１】
0006689614.tif 000002
【図２】
0006689614.tif 000003